(57)【特許請求の範囲】
【請求項１】
基板上に搭載されると共に嵌合方向に沿って相手側コネクタと嵌合するコネクタであって、
コンタクトと、前記コンタクトを保持するハウジングと、前記嵌合方向と直交する面内において前記ハウジングの外周を包囲する包囲部と、前記包囲部が前記ハウジングに対して前記嵌合方向に沿って相対移動可能となるように前記包囲部と前記ハウジングとを直接的又は間接的に連結する連結部とを備えている
コネクタ。
【請求項２】
請求項１記載のコネクタであって、
前記コンタクトは、下面を前記基板上に固定されるＳＭＴ部を有しており、
前記包囲部は、前記嵌合方向において、前記ＳＭＴ部の前記下面から前記ハウジングの上面までの距離以上のサイズを有している
コネクタ。
【請求項３】
請求項２記載のコネクタであって、
前記相手側コネクタは相手側基板に搭載されるものであり、
前記包囲部の前記嵌合方向におけるサイズは、前記基板に搭載された前記コネクタと前記相手側基板に搭載された前記相手側コネクタとを嵌合させた状態における前記基板と前記相手側基板との間の距離以上であり、
前記包囲部は、前記嵌合状態において前記基板と前記相手側基板との双方に当接して、前記包囲部と前記基板と前記相手側基板とで囲まれた閉空間を形成するように構成されており、
前記嵌合状態において、前記コンタクト及び前記ハウジングは、前記閉空間内に位置している
コネクタ。
【請求項４】
請求項２又は請求項３記載のコネクタであって、
前記ＳＭＴ部は、前記嵌合方向と直交する面内において、前記ハウジングの外周から少なくとも部分的に突出しており、
前記包囲部は、前記ハウジングの前記上面を前記嵌合方向に沿って見た場合に前記ＳＭＴ部が視認可能となるような形状を有している
コネクタ。
【請求項５】
請求項１乃至請求項４のいずれかに記載のコネクタであって、
前記包囲部は、前記コネクタが前記基板に搭載され且つ前記相手側コネクタと未だ一度も嵌合する前の状態である初期状態において、前記基板から浮いた状態で前記連結部に支持されている
コネクタ。
【請求項６】
請求項１乃至請求項５のいずれかに記載のコネクタであって、
前記包囲部は、弾性体からなる
コネクタ。
【請求項７】
請求項１乃至請求項６のいずれかに記載のコネクタであって、
前記連結部は、伸縮可能な弾性体からなる
コネクタ。
【請求項８】
請求項１乃至請求項７のいずれかに記載のコネクタであって、
前記ハウジングに保持され且つ前記ハウジングを補強する補強部材を更に備えており、
前記連結部は、前記補強部材と前記包囲部とを直接連結している
コネクタ。
【請求項９】
請求項８記載のコネクタであって、
前記補強部材は前記連結部を成型する際に前記連結部と接続されている
コネクタ。
【請求項１０】
請求項１乃至請求項７のいずれかに記載のコネクタであって、
前記連結部は、前記ハウジングと前記包囲部とを直接連結している
コネクタ。
【請求項１１】
請求項１０記載のコネクタであって、
前記連結部は、前記ハウジングの成型時に同時に成型され、それによって前記ハウジングと接続されている
コネクタ。
【発明の詳細な説明】
【技術分野】
【０００１】
本発明は、基板に搭載されると共に相手側コネクタと嵌合するコネクタに関する。
【背景技術】
【０００２】
図２７に示されるように、特許文献１のコネクタは、コンタクトと、コンタクトを保持するハウジングと、ハウジングを覆うシェルとを備えている。コンタクトは、基板（図示せず）上に固定されるＳＭＴ部を有している。ハウジング及びシェルと基板（図示せず）との間には隙間が設けられており、その隙間を通して、コンタクトのＳＭＴ部がシェルの外部まで延びている。そのため、コンタクトのＳＭＴ部の実装状態を確認し易い反面、コンタクトが汚染されやすいといった問題がある。
【０００３】
これに対して、図２８に示されるように、特許文献２のコネクタでは、コンタクトのＳＭＴ部を基板上に固定した後、ハウジング及び基板に対してシェルをネジ止めして取り付ける。ＳＭＴ部はシェルにより囲われており、従って、コンタクトの汚染を回避することができる。
【先行技術文献】
【特許文献】
【０００４】
【特許文献１】特開平１０−１０６６８４号公報
【特許文献２】特開平１０−１７２６８５号公報
【発明の概要】
【発明が解決しようとする課題】
【０００５】
特許文献２のコネクタの構造では、ＳＭＴ部の基板への固定の検査をした後にシェルをハウジング及び基板にネジ止め固定しなければならない。そのため、特許文献２のコネクタには、コネクタ実装が煩雑であるという問題があり、また、シェルの取り付け忘れが生じるおそれもある。
【０００６】
そこで、本発明は、コネクタの基板への実装状態を容易に確認可能で且つコネクタ実装が煩雑になってしまうことを避けることのできる構造を有するコネクタを提供することを目的とする。
【課題を解決するための手段】
【０００７】
本発明は、第１のコネクタとして、
基板上に搭載されると共に嵌合方向に沿って相手側コネクタと嵌合するコネクタであって、
コンタクトと、前記コンタクトを保持するハウジングと、前記嵌合方向と直交する面内において前記ハウジングの外周を包囲する包囲部と、前記包囲部が前記ハウジングに対して前記嵌合方向に沿って相対移動可能となるように前記包囲部と前記ハウジングとを直接的又は間接的に連結する連結部とを備えている
コネクタを提供する。
【０００８】
また、本発明は、第２のコネクタとして、第１のコネクタであって、
前記コンタクトは、下面を前記基板上に固定されるＳＭＴ部を有しており、
前記包囲部は、前記嵌合方向において、前記ＳＭＴ部の前記下面から前記ハウジングの上面までの距離以上のサイズを有している
コネクタを提供する。
【０００９】
また、本発明は、第３のコネクタとして、第２のコネクタであって、
前記相手側コネクタは相手側基板に搭載されるものであり、
前記包囲部の前記嵌合方向におけるサイズは、前記基板に搭載された前記コネクタと前記相手側基板に搭載された前記相手側コネクタとを嵌合させた状態における前記基板と前記相手側基板との間の距離以上であり、
前記包囲部は、前記嵌合状態において前記基板と前記相手側基板との双方に当接して、前記包囲部と前記基板と前記相手側基板とで囲まれた閉空間を形成するように構成されており、
前記嵌合状態において、前記コンタクト及び前記ハウジングは、前記閉空間内に位置している
コネクタを提供する。
【００１０】
また、本発明は、第４のコネクタとして、第２又は第３のコネクタであって、
前記ＳＭＴ部は、前記嵌合方向と直交する面内において、前記ハウジングの外周から少なくとも部分的に突出しており、
前記包囲部は、前記ハウジングの前記上面を前記嵌合方向に沿って見た場合に前記ＳＭＴ部が視認可能となるような形状を有している
コネクタを提供する。
【００１１】
また、本発明は、第５のコネクタとして、第１乃至第４のコネクタであって、
前記包囲部は、前記コネクタが前記基板に搭載され且つ前記相手側コネクタと未だ一度も嵌合する前の状態である初期状態において、前記基板から浮いた状態で前記連結部に支持されている
コネクタを提供する。
【００１２】
また、本発明は、第６のコネクタとして、第１乃至第５のいずれかのコネクタであって、
前記包囲部は、弾性体からなる
コネクタを提供する。
【００１３】
また、本発明は、第７のコネクタとして、第１乃至第６のいずれかのコネクタであって、
前記連結部は、伸縮可能な弾性体からなる
コネクタを提供する。
【００１４】
また、本発明は、第８のコネクタとして、第１乃至第７のいずれかのコネクタであって、
前記ハウジングに保持され且つ前記ハウジングを補強する補強部材を更に備えており、
前記連結部は、前記補強部材と前記包囲部とを直接連結している
コネクタを提供する。
【００１５】
また、本発明は、第９のコネクタとして、第８のコネクタであって、
前記補強部材は前記連結部を成型する際に前記補強部材と接続されている
コネクタを提供する。
【００１６】
また、本発明は、第１０のコネクタとして、第１乃至第７のいずれかのコネクタであって、
前記連結部は、前記ハウジングと前記包囲部とを直接連結している
コネクタを提供する。
【００１７】
また、本発明は、第１１のコネクタとして、第１０のコネクタであって、
前記連結部は、前記ハウジングの成型時に同時に成型され、それによって前記ハウジングと接続されている
コネクタを提供する。
【発明の効果】
【００１８】
本発明によれば、ハウジングの外周を包囲する包囲部をハウジングに対して嵌合方向に沿って相対移動可能となるように設けたことから、コネクタの基板への実装状態を確認した後、包囲部を移動させることができ、且つ、コネクタ実装が煩雑になってしまうことを避けることもできる。
【図面の簡単な説明】
【００１９】
【図１】本発明の第１の実施の形態によるコネクタを示す上面斜視図である。
【図２】図１のコネクタを示す底面斜視図である。
【図３】図１のコネクタを示す上面図である。
【図４】図３のコネクタをIV--IV線に沿って示す断面図である。
【図５】図１のコネクタに含まれる補強部材、連結部及び包囲部を有する構造体を示す斜視図である。
【図６】図５の構造体を示す上面図である。
【図７】図６の構造体をVII--VII線に沿って示す断面図である。
【図８】図１のコネクタに含まれるハウジングを示す斜視図である。
【図９】図１のコネクタに含まれるコンタクトを示す斜視図である。
【図１０】図１のコネクタと嵌合可能な相手側コネクタを示す斜視図である。
【図１１】図１のコネクタと図１０の相手側コネクタとを示す側面図である。
【図１２】図１１の状態を示す断面図である。
【図１３】図１２の状態に続く嵌合途中の状態を示す断面図である。
【図１４】図１３の状態に続く嵌合完了の状態を示す断面図である。
【図１５】本発明の第２の実施の形態によるコネクタを示す上面斜視図である。
【図１６】図１５のコネクタを示す底面斜視図である。
【図１７】図１５のコネクタを示す上面図である。
【図１８】図１７のコネクタをXVIII--XVIII線に沿って示す断面図である。
【図１９】図１５のコネクタに含まれるハウジング、連結部及び包囲部を有する構造体を示す斜視図である。
【図２０】図１９の構造体を示す上面図である。
【図２１】図２０の構造体をXXI--XXI線に沿って示す断面図である。
【図２２】図１５のコネクタに含まれる補強部材を示す斜視図である。
【図２３】図１５のコネクタと図１０の相手側コネクタとを示す側面図である。
【図２４】図２３の状態を示す断面図である。
【図２５】図２４の状態に続く嵌合途中の状態を示す断面図である。
【図２６】図２５の状態に続く嵌合完了の状態を示す断面図である。
【図２７】特許文献１のコネクタ及び相手側コネクタを示す断面図である。
【図２８】特許文献２のコネクタを示す分解斜視図である。
【発明を実施するための形態】
【００２０】
（第１の実施の形態）
図１、図１０及び図１１を参照すると、本発明の第１の実施の形態によるコネクタ１００はレセプタクルコネクタであり、コネクタ１００とＺ方向（嵌合方向）に沿って嵌合可能な相手側コネクタ２００はプラグコネクタである。図１１乃至図１４に示されるように、コネクタ１００は基板５００上に搭載されて使用され、相手側コネクタ２００は相手側基板６００に搭載されて使用される。
【００２１】
図１０に示されるように、相手側コネクタ２００は、複数の導電体からなるコンタクト２１０と、絶縁体からなるハウジング２３０とを備えている。各コンタクト２１０は、コネクタ１００と相手側コネクタ２００との嵌合状態において電気的接続に用いられる接触部２１２と、相手側基板６００に接続固定されるＳＭＴ部２１４とを有している。ハウジング２３０は、四角枠状の外壁部２３２と底部２３４とを有しており、外壁部２３２と底部２３４により収容部２３６が形成されている。コンタクト２１０は、インサート成型によりハウジング２３０に組み込まれ、ハウジング２３０に保持されている。詳しくは、接触部２１２は収容部２３６内に露出しており、ＳＭＴ部２１４はハウジング２３０のＸ方向の外側に向かって延びている。
【００２２】
図１乃至図４に示されるように、コネクタ１００は、複数の導電体からなるコンタクト１１０と、コンタクト１１０を保持する絶縁体からなるハウジング１３０と、ハウジング１３０に保持されハウジング１３０を補強する金属製の２つの補強部材１５０と、伸縮可能な弾性体からなる２つの連結部１６０と、弾性体からなる単一の包囲部１７０とを備えている。本実施の形態において、連結部１６０と包囲部１７０とは同一の材料で構成されている。
【００２３】
図９に示されるように、コンタクト１１０は、コネクタ１００と相手側コネクタ２００の嵌合状態において相手側コネクタ２００のコンタクト２１０の接触部２１２と接触する接触部１１２と、基板５００に接続固定されるＳＭＴ部１１４とを有している。詳しくは、ＳＭＴ部１１４の下面１１６を基板５００上に形成された導電パターン（図示せず）に半田等により接続され、それによってコネクタ１００は基板５００に固定される。
【００２４】
図８に示されるように、ハウジング１３０は、Ｚ方向に突出すると共にＹ方向（長手方向）に延びる突出部１３６と、Ｚ方向と直交するＸＹ平面内において突出部１３６から離れ且つ突出部１３６を取り囲むように位置する外壁部１３８と、外壁部１３８と突出部１３６とを−Ｚ側において連結する底部１４０とを有している。突出部１３６は、コネクタ１００と相手側コネクタ２００の嵌合時に相手側コネクタ２００のハウジング２３０に設けられた収容部２３６に収容される部位である。突出部１３６と外壁部１３８との間には、相手側コネクタ２００のハウジング２３０の外壁部２３２を受容する受容部１４２が形成されている。ハウジング１３０には、底部１４０を貫通すると共に突出部１３６の内部及び外壁部１３８の内部まで延びる複数のコンタクト収容部１４４が形成されている。図２に示されるように、コンタクト収容部１４４にはコンタクト１１０がハウジング１３０の下面１３４側から夫々圧入される。図１及び図３に示されるように、圧入されたコンタクト１１０の接触部１１２は、受容部１４２内に露出している。一方、図２乃至図４に示されるように、圧入されたコンタクト１１０のＳＭＴ部１１４はハウジング１３０のＸ方向の外側に向かって延びている。図８に示されるように、ハウジング１３０には補強部材１５０を保持するための保持部１４６が４か所に形成されている。
【００２５】
図５乃至図７に示されるように、２つの補強部材１５０と包囲部１７０とは連結部１６０により連結されている。本実施の形態において、補強部材１５０は、インサート成型により、包囲部１７０及び連結部１６０の成型時に連結部１６０と接続されている。図６及び図７に最もよく示されているように、連結部１６０は、包囲部１７０のＹ方向（長手方向）の内側において包囲部１７０と補強部材１５０とを夫々接続している。
【００２６】
補強部材１５０は、コの字状の主部１５２と、主部１５２の両端に形成された被保持部１５４と、主部１５２の下部及び被保持部１５４の下部に形成された計３つの突当部１５６とを有している。被保持部１５４はハウジング１３０の保持部１４６に圧入され、それによって、補強部材１５０はハウジング１３０に保持される。突当部１５６は、図１１や図１２に示されるように、コネクタ１００を基板５００に搭載固定した際に基板５００に突き当てられ、基板５００上に形成されたパターン（図示せず）に半田等により接続される部位である。
【００２７】
包囲部１７０は、四角枠形状又は四角環形状を有している。この包囲部１７０は、図１乃至図４に示されるように、補強部材１５０がハウジング１３０に取り付けられることにより、ＸＹ平面内においてハウジング１３０の外周を包囲する。
【００２８】
本実施の形態において、連結部１６０が伸縮可能な弾性体からなることから、包囲部１７０はハウジング１３０に対してＺ方向に沿って相対的に移動可能となっている。包囲部１７０は、ハウジング１３０に対してＺ方向に沿って相対移動可能であればよく、例えば、相対移動可能とするための手段は、機械的な構造等によるものであってもよい。但し、機械的な構造等により実現することとするとコネクタ１００が大型化してしまうことから、連結部１６０は弾性体で構成することが好ましい。特に、上述した相対移動を行わせるために包囲部１７０に対して加えられた力が解除された際に、包囲部１７０が初期状態に復帰できるようにするためには、復元力を有する伸縮可能な弾性体で連結部１６０を構成することが好ましい。
【００２９】
図３に示されるように、包囲部１７０が四角枠形状又は四角環形状を有していることから、ハウジング１３０の上面１３２をＺ方向に沿って見た場合に、ハウジング１３０の外側に突出しているＳＭＴ部１１４を視認することができる。従って、コネクタ１００を基板５００に搭載固定した際に、ＳＭＴ部１１４と基板５００の接続状態を上方（＋Ｚ側）から確認することができる。
【００３０】
図４に示されるように、包囲部１７０は、ハウジング１３０の上面１３２よりも上側に突出している。このため、コネクタ１００が基板５００に搭載され且つ相手側コネクタ２００と未だ一度も嵌合する前の状態である初期状態において、包囲部１７０は基板５００から浮いた状態をとっており、ＳＭＴ部１１４と基板５００との接続状態を側方（Ｘ方向）からも確認することができる。
【００３１】
この包囲部１７０は、図４に示されるように、Ｚ方向において、ＳＭＴ部１１４の下面１１６からハウジング１３０の上面１３２までの距離以上のサイズを有している。特に、図１１及び図１２に示されるように、本実施の形態における包囲部１７０のＺ方向におけるサイズは、コネクタ１００と相手側コネクタ２００との嵌合状態において基板５００と相手側基板６００との間の距離以上である。そのため、図１４に示されるように、包囲部１７０は、コネクタ１００と相手側コネクタ２００との嵌合状態において基板５００と相手側基板６００との双方に当接（突き当り接した状態になる：以下同様）し、それによって、包囲部１７０と基板５００と相手側基板６００とで閉空間を形成している。また、図１４に示されているように、コネクタ１００と相手側コネクタ２００との嵌合状態において、コネクタ１００のコンタクト１１０及びハウジング１３０並びに相手側コネクタ２００のコンタクト２１０及びハウジング２３０は包囲部１７０等によって形成された閉空間内に位置しており、汚染等から保護されている。
【００３２】
本実施の形態においては、ハウジング１３０に対してＺ方向に沿って相対移動可能となるように包囲部１７０を設けていることから、図１２乃至図１４に示されるように、コネクタ１００と相手側コネクタ２００との嵌合時に、特別な処理を行うことなく、包囲部１７０をＺ方向に移動させることができ、嵌合状態における防塵効果を得ることができる。詳しくは、図１２に示される状態から相手側コネクタ２００とコネクタ１００との嵌合を進めていくと、図１３に示されるように、包囲部１７０の上端（＋Ｚ側端部）が相手側基板６００に当接する。その後、更に嵌合を進めていくと、相手側基板６００により包囲部１７０が下側に（−Ｚ側に向かって）押されると共に連結部１６０が伸び始め、それによって、包囲部１７０は基板５００に向かって移動する。更に嵌合を進めていくと、包囲部１７０のＺ方向のサイズに起因して、包囲部１７０の下端（−Ｚ側端部）が基板５００に当接した後も包囲部１７０は相手側基板６００からの力を受け、最終的な嵌合状態においては図１４に示されるように包囲部１７０が基板５００と相手側基板６００との双方に当接することとなり、上述したような閉空間を形成して、上述した防塵効果を得ることができる。
【００３３】
（第２の実施の形態）
図１５乃至図１９を参照すると、本発明の第２の実施の形態によるコネクタ１００ａは、上述した第１の実施の形態によるコネクタ１００の変形例であり、連結部１６０ａ及び包囲部１７０ａの構成や、それらとハウジング１３０及び補強部材１５０との関係を除き、上述した第１の実施の形態によるコネクタ１００と同様の構成を備えている。また、相手側コネクタ２００は、第１の実施の形態によるものと同じである（図１０及び図２３参照）。従って、以下においては、コネクタ１００ａについて、第１の実施の形態によるコネクタ１００と同様の構成要素には同様の参照符号を付すと共にそれらについての説明を簡略化し、相違点を特に詳細に説明することとする。
【００３４】
図１５乃至図１８に示されるように、コネクタ１００ａは、複数の導電体からなるコンタクト１１０と、コンタクト１１０を保持する絶縁体からなるハウジング１３０と、ハウジング１３０に保持されハウジング１３０を補強する金属製の２つの補強部材１５０と、伸縮可能な弾性体からなる４つの連結部１６０ａと、弾性体からなる単一の包囲部１７０ａとを備えている。本実施の形態において、連結部１６０ａと包囲部１７０ａとは同一の材料で構成されている。
【００３５】
上述した第１の実施の形態においては、図５乃至図７に示されるように、包囲部１７０は連結部１６０により補強部材１５０に連結されていたが、本実施の形態においては、図２２に示されるように、補強部材１５０と包囲部１７０ａ及び連結部１６０ａは一体形成されていない。その代わり、本実施の形態においては、図１９乃至図２１に示されるように、包囲部１７０ａは、４つの連結部１６０ａによりハウジング１３０に対して直接連結されている。連結部１６０ａは、ハウジング１３０の外壁部１３８の長手方向に延びる部位の外側に２つずつ配置され、包囲部１７０ａの内周部とハウジング１３０の外周部とを連結している。
【００３６】
より具体的には、本実施の形態による連結部１６０ａ及び包囲部１７０ａは同一の材料からなるものであるが、ハウジング１３０とは異なる材料からなるものである。これら、ハウジング１３０と連結部１６０ａ及び包囲部１７０ａとは二色成型により、互いに一体となるように形成されている。
【００３７】
本実施の形態による包囲部１７０ａは、上述した第１の実施の形態による包囲部１７０とは異なる形状であるが、四角枠形状又は四角環形状という点で包囲部１７０と共通しており、図１９乃至図２１に示されるように、ＸＹ平面内においてハウジング１３０の外周を包囲している。
【００３８】
本実施の形態における連結部１６０ａも復元力を有する伸縮可能な弾性体からなる。従って、包囲部１７０ａはハウジング１３０に対してＺ方向に沿って相対的に移動可能となっており、更に、相対移動を行わせるために包囲部１７０ａに対して加えられた力が解除された際に、包囲部１７０ａが初期状態に復帰することができる。
【００３９】
本実施の形態においても、図１７に示されるように、ハウジング１３０の上面１３２をＺ方向に沿って見た場合に、ハウジング１３０の外側に突出しているＳＭＴ部１１４を視認することができる。従って、コネクタ１００を基板５００に搭載固定した際に、ＳＭＴ部１１４と基板５００の接続状態を上方（＋Ｚ側）から確認することができる。
【００４０】
また、図２３に示されるように、初期状態において、包囲部１７０ａは基板５００から浮いた状態をとっており、ＳＭＴ部１１４と基板５００との接続状態を側方（Ｘ方向）からも確認することができる。
【００４１】
この包囲部１７０ａは、図１８に示されるように、Ｚ方向において、ＳＭＴ部１１４の下面１１６からハウジング１３０の上面１３２までの距離以上のサイズを有している。特に、図２４及び図２６に示されるように、本実施の形態における包囲部１７０ａのＺ方向におけるサイズは、コネクタ１００と相手側コネクタ２００との嵌合状態において基板５００と相手側基板６００との間の距離以上である。そのため、図２６に示されるように、包囲部１７０ａは、コネクタ１００と相手側コネクタ２００との嵌合状態において基板５００と相手側基板６００との双方に当接し、それによって、包囲部１７０ａと基板５００と相手側基板６００とで閉空間を形成している。また、図２６に示されているように、コネクタ１００と相手側コネクタ２００との嵌合状態において、コネクタ１００のコンタクト１１０及びハウジング１３０並びに相手側コネクタ２００のコンタクト２１０及びハウジング２３０は包囲部１７０ａ等によって形成された閉空間内に位置しており、汚染等から保護されている。
【００４２】
本実施の形態においては、ハウジング１３０に対してＺ方向に沿って相対移動可能となるように包囲部１７０ａを設けていることから、図２４乃至図２６に示されるように、コネクタ１００と相手側コネクタ２００との嵌合時に、特別な処理を行うことなく、包囲部１７０ａをＺ方向に移動させることができ、嵌合状態における防塵効果を得ることができる。詳しくは、図２４に示される状態から相手側コネクタ２００とコネクタ１００との嵌合を進めていくと、図２５に示されるように、包囲部１７０ａの上端（＋Ｚ側端部）が相手側基板６００に当接する。その後、更に嵌合を進めていくと、相手側基板６００により包囲部１７０ａが下側に（−Ｚ側に向かって）押されると共に連結部１６０ａが伸び始め、それによって、包囲部１７０ａは基板５００に向かって移動する。更に嵌合を進めていくと、包囲部１７０ａのＺ方向のサイズに起因して、包囲部１７０ａの下端（−Ｚ側端部）が基板５００に当接した後も包囲部１７０ａは相手側基板６００からの力を受け、最終的な嵌合状態においては図２６に示されるように包囲部１７０ａが基板５００と相手側基板６００との双方に当接することとなり、上述したような閉空間を形成して、上述した防塵効果を得ることができる。
【００４３】
以上、実施の形態を掲げて本発明について具体的に説明してきたが、本発明はこれらに限定されるものではなく、様々な変形等が可能である。
【００４４】
例えば、上述した実施の形態において、連結部１６０，１６０ａと包囲部１７０，１７０ａは同一の材料で構成され、一体成型されていたが、連結部１６０，１６０ａと包囲部１７０，１７０ａとを別材料で構成しても良いし、それぞれを形成した後にそれらを接合若しくは組み合わせることとしても良い。また、連結部１６０，１６０ａは伸縮可能な弾性体で構成したが、可撓性のヒンジで連結部１６０，１６０ａを弾性変形するようにしても良い。加えて、包囲部１７０，１７０ａに対して電気的なシールド効果を持たせるため、包囲部１７０，１７０ａを金属で構成することとしても良いし、樹脂等の絶縁体で包囲部１７０，１７０ａを形成した後にその外周に箔又はメッキを施すこととしても良い。
【００４５】
また、補強部材１５０、連結部１６０及び包囲部１７０を同一の金属で形成し、連結部１６０を可撓性のヒンジにて弾性変形するようにしても良い。
【符号の説明】
【００４６】
１００，１００ａ        コネクタ
１１０        コンタクト
１１２        接触部
１１４        ＳＭＴ部
１１６        下面
１３０        ハウジング
１３２        上面
１３４        下面
１３６        突出部
１３８        外壁部
１４０        底部
１４２        受容部
１４４        コンタクト収容部
１４６        保持部
１５０        補強部材
１５２        主部
１５４        被保持部
１５６        突当部
１６０，１６０ａ        連結部
１７０，１７０ａ        包囲部
２００        相手側コネクタ
２１０        コンタクト
２１２        接触部
２１４        ＳＭＴ部
２３０        ハウジング
２３２        外壁部
２３４        底部
２３６        収容部
５００        基板
６００        相手側基板
【要約】
【課題】コネクタの基板への実装状態を容易に確認可能で且つコネクタ実装が煩雑になってしまうことを避けることのできる構造を有するコネクタを提供すること。
【解決手段】コネクタ１００は、複数のコンタクト１１０と、コンタクト１１０を保持するハウジング１３０と、嵌合方向であるＺ方向と直交するＸＹ面内においてハウジング１３０の外周を包囲する包囲部１７０と、包囲部１７０がハウジング１３０に対してＺ方向に沿って相対移動可能となるように包囲部１７０とハウジング１３０とを直接的又は間接的に連結する連結部１６０とを備えている。
【選択図】図３【図１】
0005405640.tif 000002
【図２】
0005405640.tif 000003
【図３】
0005405640.tif 000004
【図４】
0005405640.tif 000005
【図５】
0005405640.tif 000006
【図６】
0005405640.tif 000007
【図７】
0005405640.tif 000008
【図８】
0005405640.tif 000009
【図９】
0005405640.tif 000010
【図１０】
0005405640.tif 000011
【図１１】
0005405640.tif 000012
【図１２】
0005405640.tif 000013
【図１３】
0005405640.tif 000014
【図１４】
0005405640.tif 000015
【図１５】
0005405640.tif 000016
【図１６】
0005405640.tif 000017
【図１７】
0005405640.tif 000018
【図１８】
0005405640.tif 000019
【図１９】
0005405640.tif 000020
【図２０】
0005405640.tif 000021
【図２１】
0005405640.tif 000022
【図２２】
0005405640.tif 000023
【図２３】
0005405640.tif 000024
【図２４】
0005405640.tif 000025
【図２５】
0005405640.tif 000026
【図２６】
0005405640.tif 000027
【図２７】
0005405640.tif 000028
【図２８】
0005405640.tif 000029